(57)【要約】【課題】本発明の実施形態が、自動車用の特定の用途を持つバッテリーシステムの分野での改善を提供する。【解決手段】各々が電荷を保持するように適合された複数のセルを有する自動車のバッテリーの放電方法は、１以上のセンサーを介して自動車イベントを検出するステップにして、自動車イベントが、自動車の衝突又は自動車の冠水を含む、ステップと、これに応じ、バッテリーの電気的特性が事前規定閾値に到達するまでバッテリー管理システムを用いてバッテリーを放電するステップを含む。バッテリー管理システムは、少なくとも複数のセルの第２グループとは独立して複数のセルの第１グループの放電を制御するように構成され、複数のセルのグループ若しくは各グループが１以上のセルを備える。バッテリー管理システムは、セルの電荷を平衡化するように構成される。【選択図】図２
2018029466.tif 000002
【特許請求の範囲】
【請求項１】
各々が電荷を保持するように適合された複数のセルを有する自動車のバッテリーの放電方法であって、
１以上のセンサーを介して自動車イベントを検出するステップにして、前記自動車イベントが、自動車の衝突又は自動車の冠水を含む、ステップと、これに応じ、前記バッテリーの電気的特性が事前規定閾値に到達するまでバッテリー管理システムを用いて前記バッテリーを放電するステップを含み、
前記バッテリー管理システムは、少なくとも前記複数のセルの第２グループとは独立して前記複数のセルの第１グループの放電を制御するように構成され、前記複数のセルの前記グループ若しくは各グループが１以上のセルを備え、
前記バッテリー管理システムは、前記セルの電荷を平衡化するように構成される、方法。
【請求項２】
前記バッテリー管理システムが、少なくとも前記複数のセルの前記第２グループとは独立して前記複数のセルの前記第１グループを選択的に放電するべく複数のスイッチを制御するように適合される、請求項１に記載の放電方法。
【請求項３】
前記電気的特性が、１以上のセルにより保持された電荷、若しくは前記バッテリーに亘る電圧若しくはポテンシャル差の一つである、請求項１又は２に記載の放電方法。
【請求項４】
事前規定の基準に基づいて１以上のセルの放電に優先順位を付けるステップを含む、請求項１乃至３のいずれか一項に記載の放電方法。
【請求項５】
前記事前規定の基準が、前記バッテリーのハウジング内の前記１以上のセルの物理的場所；若しくは自動車のデザインの１以上である、請求項４に記載の放電方法。
【請求項６】
前記事前規定の基準が、前記１以上のセルへのダメージの検出である、請求項４に記載の放電方法。
【請求項７】
バッテリーセルからバッテリー端子を絶縁するステップを含む、請求項１乃至６のいずれか一項に記載の放電方法。
【請求項８】
バッテリー温度が閾値レベルに到達することを阻止するように前記１以上のセルの放電が制御される、請求項１乃至７のいずれか一項に記載の放電方法。
【請求項９】
各々が電荷を保持するように適合された複数のセルを有する自動車のバッテリーの電荷を放電するためのシステムであって、
各セルの電荷を平衡化するためのバッテリー管理システム、及び自動車イベントを検出するためのセンサーを備え、前記自動車イベントが、自動車の衝突又は自動車の冠水を含み、
前記バッテリー管理システムは、前記自動車イベントが発生したことを示す信号を受信すると、前記バッテリーの電気的特性が事前規定閾値に到達するまで、１以上のエネルギー損失装置を介し、前記バッテリーの１以上のセルに保持された電気エネルギーの放電サイクルを開始するように構成され、
前記バッテリー管理システムは、少なくとも前記複数のセルの第２グループとは独立に前記複数のセルの第１グループの放電を制御するように適合され、
前記複数のセルの前記第１グループが１以上のセルを備える、システム。
【請求項１０】
前記１以上のエネルギー損失装置が、受動バッテリー調整器若しくは能動バッテリー平衡器を備える、請求項９に記載のシステム。
【請求項１１】
前記バッテリーが、自動車推進のために電力供給を受ける駆動モーターへ電力を提供するためのけん引用バッテリーである、請求項９又は請求項１０に記載のシステム。
【請求項１２】
前記センサーが、自動車の減速を測定する若しくは衝突インパクトを検出するための衝突センサーである、請求項９乃至１１のいずれか一項に記載のシステム。
【請求項１３】
前記センサーが不適当な場所の水の存在を検出するための水センサーである、請求項９乃至１１のいずれか一項に記載のシステム。
【請求項１４】
前記複数のセルからバッテリー端子を電気的に非接続にするための断路器を備える、請求項９乃至１３のいずれか一項に記載のシステム。
【請求項１５】
請求項９に記載のシステムを備えるバッテリー。
【請求項１６】
請求項９乃至１４のいずれか一項に記載のシステムを備える自動車。
【請求項１７】
請求項１５に記載のバッテリーを備える自動車。
【発明の詳細な説明】
【技術分野】
【０００１】
本発明は、バッテリー安全システム及びバッテリーの放電方法に関し、排他的ではないが、より端的には、バッテリーの完全性が危険に晒される時のバッテリーの放電のためのバッテリー安全システムに関する。本発明の側面が、システム、自動車、及び方法に関する。
【背景技術】
【０００２】
自動車を推進するために電気駆動モーターへ電力を提供するために電気自動車及びハイブリッド電気自動車にバッテリーシステムを設けることが知られている。そのようなバッテリーは、典型的には、約３００〜４００ボルトの範囲で稼働し、少なくとも一時的に１０００アンペアのレベルの直流を配給することができる。
【０００３】
例えば、自動車の衝突を伴う特定の状況においては、バッテリーの放電が自動的若しくは手動のいずれかでトリガー可能であるバッテリー安全システムを提供することが望ましい。
【０００４】
この背景に反して本発明が着想された。本発明の実施形態が、自動車用の特定の用途を持つバッテリーシステムの分野での改善を提供する。本発明は自動車以外の用途で用いられ得る。本発明の他の目的及び利益が、次の記述、請求項及び図面から明らかになる。
【発明の概要】
【課題を解決するための手段】
【０００５】
本発明の側面が、添付請求項において請求のシステム、自動車、及び方法を提供する。
【０００６】
保護が求められる本発明の一側面によれば、自動車バッテリーの放電方法が提供され、
１以上のセンサーを介して自動車イベントを検出するステップと、これに応じ、バッテリーの電気的特性が事前規定閾値に到達するまでバッテリー管理システムを用いて自動車バッテリーの１以上のセルを放電するステップを含み、
バッテリー管理システムは、少なくとも第２グループのセルとは独立して第１グループのセルの放電を制御するように構成される。
【０００７】
オプションとして、バッテリー管理システムは、少なくとも第２グループのセルとは独立して第１グループのセルを選択的に放電するべく複数のスイッチを制御するように適合される。
【０００８】
オプションとして、電気的特性が、次の一つである；１以上のセルにより保持された電荷、若しくはバッテリーに亘る電圧若しくはポテンシャル差。
【０００９】
幾つかの実施形態においては、方法が、事前規定の基準に基づいて１以上のセルの放電に優先順位を付けるステップを含む。
【００１０】
オプションとして、事前規定の基準が、次の１つ以上である：バッテリーのハウジング内の１以上のセルの物理的場所、１以上のセルへのダメージの検出、若しくは自動車のデザイン。
【００１１】
本発明の実施形態においては、方法が、バッテリーセルからバッテリー端子を絶縁するステップを含む。
【００１２】
オプションとして、バッテリー温度が閾値レベルに到達することを阻止するように１以上のセルの放電が制御される。
【００１３】
保護が求められる本発明の別側面によれば、自動車のバッテリーの放電方法が提供され、バッテリーが、各々が電荷を保持するように適合された複数のセルを有する、当該方法が、
１以上のセンサーを介して自動車イベントを検出するステップと、これに応じ、
バッテリーの電気的特性が事前規定閾値に到達するまでバッテリー管理システムを用いてバッテリーを放電するステップを含み、
バッテリー管理システムは、少なくとも第２の１以上の複数のセルとは独立して第１の１以上の複数のセルの放電を制御するように適合され、前記複数のセルの第１グループが１以上のセルを備える。
【００１４】
保護が求められる本発明の別側面によれば、複数のセルを有するバッテリーの電荷を放電するためのシステムが提供され、当該システムが、各セルの電荷を平衡化するためのバッテリー管理システム、及び自動車イベントを検出するためのセンサーを備え、
バッテリー管理システムは、自動車イベントが発生したことを示す信号を受信すると、１以上のエネルギー損失装置を介し、バッテリーの１以上のセルに保持された電気エネルギーの放電サイクルを開始するように構成され、
バッテリー管理システムは、少なくとも複数のセルの第２グループとは独立に複数のセルの第１グループの放電を制御するように適合される。
【００１５】
オプションとして、エネルギー損失装置は、受動バッテリー調整器若しくは能動バッテリー平衡器である。従って、有利には、エネルギー損失装置は、バッテリーの通常動作の過程で用いられるバッテリーの部品部分である。これは、追加の放電手段を格納する必要がないことを意味する。従って、直接なコスト利益がある。
【００１６】
幾つかの実施形態においては、バッテリーが、自動車の推進のために電力供給を受ける駆動モーターへ電力供給するためのけん引用バッテリーである。
【００１７】
オプションとして、自動車イベントが衝突（crash）であり、センサーが自動車の減速を測定する若しくは衝突インパクトを検出するための衝突センサーである。
【００１８】
オプションとして、自動車イベントが自動車の冠水（flooding）であり、センサーが不適当な場所での水の存在を検出するための水センサーである。
【００１９】
オプションとして、自動車イベントが自動車の補修であり、センサーが補修過程で動作可能なスイッチである。
【００２０】
本発明の側面が、非急速放電時間を提供し得る。これは、保持電荷を漸次低くするようにセルのグループの電荷を平衡化することにより達成される。これは、バッテリーの急速な放電が望まれない衝突状況において有利である。
【００２１】
システムは、複数のセルからバッテリー端子を電気的に非接続にするための断路器を備える。
【００２２】
保護が求められる本発明のまた別側面によれば、関連の先行の段落に記述されたシステムを備える自動車が提供される。
【００２３】
この出願の範囲内において、先行の段落、請求項及び／又は次の記述及び図面に提示された様々な側面、実施形態、実施例、代替例、また特にはこれらの個別の特徴が独立若しくは任意の組み合わせにおいて理解され得ることが明示的に意図される。例えば、一つの実施形態との関係において記述された特徴は、そのような特徴が不整合でなければ、全ての実施形態に適用可能である。
【図面の簡単な説明】
【００２４】
本発明の実施形態が、添付図面を参照して例示のみのために記述される。
【図１】図１は、本発明の実施形態に係る自動車の側面図である。
【図２】図２は、本発明の実施形態に係るバッテリーシステムの概略図である。
【発明を実施するための形態】
【００２５】
本発明のバッテリーシステム及びバッテリーの放電方法の特定の実施形態の詳細な記述が本明細書に開示される。開示の実施形態が本発明のある側面が実施される方法の単なる例であり、本発明が具現化される全方法の排他的リストを提示しないものと理解される。実際には、本明細書に記述のバッテリーシステム及びバッテリーの放電方法が様々な及び代替の形態において具現化され得るものと理解される。図面は必ずしも縮尺のものではなく、幾つかの特徴が大きく若しくは小さくされ、特定の要素の詳細を図示する。よく知られた部品、材料若しくは方法は、本開示を不明瞭にすることを避けるために、必ずしも十分に詳細に記述されない。本明細書に開示の任意の特定の構造及び機能の詳細は、限定として解釈されるべきではなく、請求項の単なる基礎、当業者が本発明を様々に採用する教示の代表的な基礎として解釈される。
【００２６】
図１は、本発明の実施形態に係る自動車１０を図示し、自動車１０がバッテリー１２を備える。バッテリー１２は、オプションとして、自動車１０の推進のための駆動モーター（不図示）に電力供給するためのけん引用バッテリーである。幾つかの実施形態においては、自動車１０は、内燃エンジンといった追加の駆動手段（不図示）も備え得る。
【００２７】
制御ユニット１４は、バッテリー１２及びセンサー１６、より端的には自動車イベントセンサー１６に結合される。図示の実施形態においては、センサー１６が衝突センサーであり、衝突センサー１６が、助手席エアーバック安全システム（不図示）の一部を形成する。
【００２８】
衝突センサー１６は、ピエゾ電気といった電気機械若しくは電気の加速度計であり得る。オプションとして、衝突センサー１６は、自動車が衝突イベントにおいて十分な減速を経験することに応じて自動車１０内の助手席エアーバック（不図示）を有効化するように構成され得る。
【００２９】
代替の実施形態においては、センサー１６が、自動車の冠水イベントを検出するのに適する水センサーであり得る。自動車１０を利用不能にする冠水イベントは、自動車の即時のシャットダウンも要求し得るものと理解されるべきである。そのようなシナリオにおいては、センサーは、自動車シャットダウンを有効化するように構成される。
【００３０】
代替の実施形態においては、センサー１６は、自動車の補修の過程で補修エンジニアにより動作可能であるスイッチである。
【００３１】
代替の実施形態においては、制御ユニット１４は、センサー１６に非直接的に結合され、オプションとしては、例えば、１以上の中間コントローラーを介して結合される。例えば、センサー１６が衝突センサーである実施形態においては、中間コントローラーは、助手席エアーバックコントローラー（不図示）である。センサー１６からの情報が、自動車ＣＡＮバス若しくは他の適当な自動車基準のデータネットワークを介して関連のコントローラーを介して送信され得る。また更なる実施形態においては、センサー１６は、バッテリー安全システム専用であり、バッテリー１２のパッケージ内に組み込まれる。
【００３２】
図２は、自動車１０における使用のためのシステム２０を図示する；システム２０は、バッテリー１２、制御ユニット１４、及びセンサー１６を備える。
【００３３】
バッテリー１２は、第１の正の端子Ｔ１と第２の負の端子Ｔ２を有するハウジング１３を備える。第１及び第２端子Ｔ１、Ｔ２は、リード線を介して、自動車１０（図１に図示）の駆動ホイール２２に回転を提供する電気モーター（不図示）に結合される。バッテリー１２は、電荷蓄積用の複数のセルＣ１、Ｃ２、Ｃ３、Ｃ４、Ｃ５を備える。
【００３４】
バッテリー１２は、一組のスイッチ若しくは接触器２３、２４を備える。接触器２３は、端子Ｔ１に電気的に近接して設けられ、接触器２４は、端子Ｔ２に電気的に近接して設けられ、バッテリー１２のセルＣ１、Ｃ２、Ｃ３、Ｃ４、Ｃ５が電気的に非接続可能である。接触器２３、２４は、使用中でない時、若しくは自動車イベントに続くような緊急の場合に自動車の乗員と救助活動中の緊急隊員を保護するためにバッテリー１２を自動車１０から隔離するように採用可能である。自動車イベントは、例えば、自動車の衝突若しくは冠水であり得る。同様に、補修の間、接触器がバッテリーを隔離するように採用され、従って補修人員を保護する。従って、自動車イベントは、自動車の補修でもあり得る。
【００３５】
スイッチ２３、２４が個別の接続２６、３０を介して制御ユニット１４に結合され、センサー１６による自動車イベントの検出に際して、スイッチ２３、２４が開位置になるように構成され、従って、セルＣ１、Ｃ２、Ｃ３、Ｃ４、Ｃ５が第１及び第２端子Ｔ１、Ｔ２から電気的に非接続になることが想定される。
【００３６】
平衡化コントローラー（balancing controller）１８がコネクター２８により制御ユニット１４に結合され、センサー１６による自動車イベントの検出に際して、平衡化コントローラーが、スイッチＳ１、Ｓ２、Ｓ３を閉じるように指示し、これにより各抵抗器Ｒ１、Ｒ２、Ｒ３に亘る熱として電荷が損失され、各セルＣ２、Ｃ３、Ｃ４が放電される。従って、抵抗器がエネルギー損失装置である点に留意されたい。
【００３７】
バッテリー１２は、セルＣ１、Ｃ２、Ｃ３、Ｃ４、Ｃ５の能動平衡化のためのバッテリー平衡器（battery balancer）若しくはセルＣ１、Ｃ２、Ｃ３、Ｃ４、Ｃ５の電荷状態を受動的に制御するためのバッテリー調整器（battery regulator）を備えるバッテリー管理システム１９を備える。図２に図示の実施形態においては、バッテリー調整器が図示される。受動バッテリー調整器と能動バッテリー平衡器の各々は、エネルギー損失装置である。バッテリー平衡器及び／又は調整器は、通常動作の間、すなわちバッテリーが放電される前に利用されるバッテリーの部品である。従って、システムの実施形態が、高価であり得る、追加、別の、放電手段を要求しない。更には、衝突といった自動車イベントの間にはバッテリーと別の放電手段の間の連絡路が妨害され、従って、バッテリーの放電が抑制されるリスクが存在する。本発明の実施形態により可能のバッテリーと放電手段の組み合わせは、従って、リスクを軽減する。
【００３８】
図２のバッテリー管理システム１９は、個別のセルＣ１、Ｃ２、Ｃ３、Ｃ４、Ｃ５に並列接続された抵抗器Ｒ１、Ｒ２、Ｒ３を含む受動バッテリー調整器を備える。図示の実施形態においては、抵抗器Ｒ１がセルＣ２に並列接続される；抵抗器Ｒ２がセルＣ３に並列接続される；及び抵抗器Ｒ３がセルＣ４に並列接続される。抵抗器（不図示）は、各セルＣ１及びＣ５に並列接続される。
【００３９】
スイッチＳ１は、セルＣ２に並列に抵抗器Ｒ１に直列に接続される。スイッチＳ２は、セルＣ３に並列に抵抗器Ｒ２に直列に接続される。スイッチＳ３は、セルＣ４に並列に抵抗器Ｒ３に直列に接続される。
【００４０】
スイッチＳ１、Ｓ２、Ｓ３は、金属酸化膜半導体電界効果トランジスタ（ＭＯＳＦＥＴ）といったトランジスタであることが想定される。
【００４１】
バッテリー管理システム１９は、スイッチＳ１、Ｓ２、Ｓ３に結合された平衡化コントローラー１８を備える。平衡化コントローラー１８は、バッテリー１２内のセルＣ１、Ｃ２、Ｃ３、Ｃ４、Ｃ５の各々に保持された電荷を平衡化（balance）若しくは調整するように構成される。
【００４２】
スイッチＳ１、Ｓ２、Ｓ３の一つを閉じることにより、各セルＣ２、Ｃ３、Ｃ４は、そこに保持された電荷を放出することができる。必要条件のスイッチＳ１、Ｓ２、Ｓ３を閉じ、若しくは個別の電気回路を完成させ、個別の抵抗器Ｒ１、Ｒ２、Ｒ３を介して電流が流れるためである。各セルＣ１、Ｃ２、Ｃ３、Ｃ４、Ｃ５に保持された電気エネルギー若しくは電荷は、抵抗器Ｒ１、Ｒ２、Ｒ３内において熱として損失される。
【００４３】
衝突若しくは自動車激突といった自動車イベントの場合、センサー１６により検出される、自動車１０の突然の減速が帰結する。代替して、若しくは加えて、センサー１６は、バッテリーが放電若しくは非接続にされることが望ましい自動車の冠水若しくは補修若しくは維持活動といった他の自動車イベントを検出するように構成される。これらの各例においては、制御ユニット１４は、センサー１６からの信号を受け取り、これに応じて制御ユニット１４は、バッテリー１２上で放電サイクルが開始されるべきと決定するように構成される。制御ユニット１４から平衡化コントローラー１８により信号が受信される。平衡化コントローラー１８は、次に、１以上のスイッチＳ１、Ｓ２、Ｓ３を閉じるように指示するように構成される。幾つかの実施形態においては、全てのスイッチＳ１、Ｓ２、Ｓ３が同時に閉じられる。他の実施形態においては、全てのスイッチＳ１、Ｓ２、Ｓ３が事前設定の順番で閉じられる。また更なる実施形態においては、２以上のスイッチＳ１、Ｓ２、Ｓ３が同時に閉じられ、更に後述のように、スイッチＳ１、Ｓ２、Ｓ３の残部の次の閉鎖が連続して続く。
【００４４】
従って、どのスイッチＳ１、Ｓ２、Ｓ３が閉じられたかに関する限りで各セルＣ１、Ｃ２、Ｃ３、Ｃ４、Ｃ５に保持された電荷が放電される。従って、各セルＣ１、Ｃ２、Ｃ３、Ｃ４、Ｃ５の電圧若しくはポテンシャル差が減じられ、従って、バッテリー１２全体の電圧若しくはポテンシャル差が減じられる。
【００４５】
平衡化コントローラー１８は、温度センサー（不図示）を含み、セルＣ１、Ｃ２、Ｃ３、Ｃ４、Ｃ５が放電される時のバッテリー１２の温度をモニターし得る。本発明の幾つかの実施形態においては、複数の温度センサーが設けられる；オプションとして、一つの温度センサーが各セルＣ１、Ｃ２、Ｃ３、Ｃ４、Ｃ５のために設けられる。平衡化コントローラー１８は、１以上のスイッチＳ１、Ｓ２、Ｓ３を開くように構成され、これにより、各抵抗器Ｒ１、Ｒ２、Ｒ３がセルＣ２、Ｃ３、Ｃ４から非接続にされ、これにより少なくとも一時的に電流の流れを中止若しくは終了させる。そのようにする場合において、抵抗器Ｒ１、Ｒ２、Ｒ３における熱としての電気エネルギーの損失が止み、対流、伝導、若しくは放射により熱が周囲に送出可能である。従って、バッテリー１２の温度が減じられる。幾つかの実施形態においては、ファン若しくは送風機が設けられ、放電サイクル過程でバッテリー１２の温度を制御する。
【００４６】
また別の実施形態においては、平衡化コントローラー１８は、一つおきのスイッチを閉じ、例えば、スイッチＳ１及びＳ３を閉じ、他方、スイッチＳ２を開けたままにする。次にセルＣ３はセルＣ１及びＣ３間のヒートシンク若しくはバッファーとして機能し、放電サイクルの間にバッテリー１２内で増大する熱を分配する。
【００４７】
そのような構成においては、平衡化コントローラー１８は、ある期間だけ若しくは放電される各セルＣ１、Ｃ２、Ｃ３、Ｃ４、Ｃ５が事前規定の電荷レベル若しくは電圧ポテンシャルに到達するまで、バッテリー１２内の配列若しくは場所に従って第１グループのセルＣ１、Ｃ２、Ｃ３、Ｃ４、Ｃ５を放電し、次に、異なる第２グループのセルＣ１、Ｃ２、Ｃ３、Ｃ４、Ｃ５を第２の期間だけ若しくは事前規定の電荷レベルに到達するまで続いて放電する。
【００４８】
平衡化コントローラー１８は、次に、第３若しくは次のグループのセルの放電を開始し、若しくは更なる期間だけ第１グループの放電に復帰し、若しくは第２電荷レベル又は電圧ポテンシャルが到達されるまで（第２電荷レベル若しくは電圧ポテンシャルが第１のものよりも低い）行う。平衡化コントローラー１８は、次に、事前規定の電荷レベル（電荷レベルが閾値よりも低い）に到達するまで、若しくはセルＣ１、Ｃ２、Ｃ３、Ｃ４、Ｃ５が完全に電荷枯渇するまで２つ間でサイクルし、若しくは異なるグループのセルＣ１、Ｃ２、Ｃ３、Ｃ４、Ｃ５を用いる。
【００４９】
また別の実施形態においては、平衡化コントローラー１８は、バッテリー１２でのセルＣ１、Ｃ２、Ｃ３、Ｃ４、Ｃ５の物理的場所に基づいて、ある特定のセルＣ１、Ｃ２、Ｃ３、Ｃ４、Ｃ５の放電を優先し得る。例えば、バッテリーハウジングの周囲に設けられたセルＣ１、Ｃ２、Ｃ３、Ｃ４、Ｃ５が、中央に設けられたものよりも前に放電され得る。代替の実施形態においては、優先順位が、自動車デザイン及び／又は衝突若しくは冠水のパラメーターに基づいて、特定のセルＣ１、Ｃ２、Ｃ３、Ｃ４、Ｃ５を放電することに与えられ、衝突若しくは冠水イベントにおいて最もダメージを受けたであろうセルＣ１、Ｃ２、Ｃ３、Ｃ４、Ｃ５が最高の優先順位で放電される。
【００５０】
幾つかの実施形態においては、バッテリー１２が、バッテリー１２若しくは個別のセルＣ１、Ｃ２、Ｃ３、Ｃ４、Ｃ５へのダメージを検出することができる完全性センサーを含み、例えば、完全性センサーは、バッテリー１２及び／又は１以上の個別のセルＣ１、Ｃ２、Ｃ３、Ｃ４、Ｃ５内の電解質レベルをモニターする。ダメージを受けたセル及び／又は特定のセルＣ１、Ｃ２、Ｃ３、Ｃ４、Ｃ５、例えば、他のセルに持続されるダメージの結果のために危険に晒され得るバッテリーハウジング内の最下部に設けられたセルの放電に優先順位が与えられる。
【００５１】
幾つかの実施形態においては、バッテリー１２が、ＬＥＤ若しくは液晶表示装置といったインジケーターを備え、バッテリー管理システム１９がバッテリー放電サイクルを開始したこと、若しくはバッテリー放電サイクルが進行していることを示すことが想定される。幾つかの実施形態においては、インジケーターが、バッテリーの残部の電荷若しくは電圧及び／又は事前規定電荷値までのバッテリー放電サイクルの完了の推定時間を表示し得る。
【００５２】
本発明の実施形態においては、バッテリー放電サイクルが、手動で、例えば、トリガー若しくは他の機械装置、例えば、自動車キーのブレード部をバッテリー１２内に挿入若しくはそこから除去することによりトリガーされ得る。
【００５３】
バッテリー放電サイクルは、ユーザーによる要求により中止可能であり、例えば、バッテリーのインターフェイスの操作により更なるバッテリーの放電が阻止されることが想定される。
【００５４】
幾つかの実施形態においては、バッテリー１２には「サービスプラグ」若しくは「サービス非接続」が設けられる。「サービスプラグ」若しくは「サービス非接続」は、バッテリーのセルのスタックを２以上の電気的に絶縁された部分に分割するために係合又は非係合可能である。「サービスプラグ」が除去若しくは挿入されると、バッテリーの露出した端子Ｔ１、Ｔ２が、補修技術者への高い潜在的な電気の危険を呈しない。そのような実施形態においては、例えば、電気的に絶縁された部分の一つのみから電力を引くことにより、若しくは別のバッテリーといったバックアップ電源が設けられ、バッテリー管理システム１９が依然として動作可能であるようにバッテリー１２は構成されることが想定される。
【００５５】
本発明の範囲内において様々な変更が為され得ることが予期される。例えば、本発明の他の実施形態においては、バッテリー調整器に加えて若しくは代替して、能動バッテリー平衡器が採用され、バッテリー１２を放電するために、個別のセルＣ１、Ｃ２、Ｃ３、Ｃ４、Ｃ５間で電荷が伝送されることが想定される。
【００５６】
複数のセルを備える各グループに説明が為されたが、グループがただ単一のセルを備え、バッテリーが、各々が異なる数のセルから成る複数のグループを備え得るものと理解される。
【図１】
2018029466.tif 000003
【図２】
2018029466.tif 000004